(57)【要約】【課題】昨今販売されている日本語入力が可能な画面サイズの大きいタブレット端末では画面サイズに余裕があるにもかかわらずサイズの小さい画面用のソフトウエアキーボードを使用しているためキーが小さくなりタッチし難いという課題と方向キーがないためメールやブログのように文字数、行数が多い場合の編集がし難いという課題があります。また、スマートフォンは縦方向と横方向で使用可能ですが縦横両方向で使いやすい大きさのソフトウエアキーボードに設定することができない場合があるという課題もあります。【解決手段】タブレット端末用のソフトウエアキーボードにおいてキーの高さを使用者が設定可能とし、アルファベットキー、テンキー・上下左右の方向キーをソフトウエアキーボードに同時に表示することにより、ローマ字入力・テンキー入力・上下左右への移動操作もしやすいユーザインターフェースを実現する。【選択図】図１
2013149226.tif 000002
【特許請求の範囲】
【請求項１】
アルファベットによるローマ字漢字変換入力及びアルファベット直接入力が可能なタブレット端末用ソフトウエアキーボードシステムで、アルファベットと方向キー（上下左右への移動キー）が同時に表示されており、かつキーの高さが設定変更可能なことを特徴としたシステム。
【請求項２】
請求項１のシステムにおいて縦向き横向きで使用可能なタブレット端末ではキーの高さが縦向き、横向きで独立して設定可能であることを特徴としたシステム。
【請求項３】
アルファベットによるローマ字漢字変換入力及びアルファベット直接入力が可能なタブレット端末用ソフトウエアキーボードシステムで、アルファベット、方向キー（上下左右への移動キー）、テンキーが同時に表示されており、かつキーの高さが設定変更可能なことを特徴としたシステム。
【請求項４】
請求項３のシステムにおいて縦向き横向きで使用可能なタブレット端末ではキーの高さが縦向き、横向きで独立して設定可能であることを特徴としたシステム。
【請求項５】
アルファベットによるローマ字漢字変換入力及びアルファベット直接入力が可能なアンドロイドＯＳ用タブレット端末ソフトウエアキーボードシステムで、アルファベットと方向キー（上下左右への移動キー）が同時に表示されており、かつキーの高さが設定変更可能なことを特徴としたシステム。
【請求項６】
請求項５のシステムにおいて縦向き横向きで使用可能なタブレット端末ではキーの高さが縦向き、横向きで独立して設定可能であることを特徴としたシステム。
【請求項７】
アルファベットによるローマ字漢字変換入力及びアルファベット直接入力が可能なアンドロイドＯＳ用タブレット端末ソフトウエアキーボードシステムで、アルファベット、方向キー（上下左右への移動キー）、テンキーが同時に表示されており、かつキーの高さが設定変更可能なことを特徴としたシステム。
【請求項８】
請求項７のシステムにおいて縦向き横向きで使用可能なタブレット端末ではキーの高さが縦向き、横向きで独立して設定可能であることを特徴としたシステム。
【請求項９】
アルファベットによるローマ字漢字変換入力及びアルファベット直接入力が可能なアップル社ｉＯＳ用タブレット端末ソフトウエアキーボードシステムで、アルファベットと方向キー（上下左右への移動キー）が同時に表示されており、かつキーの高さが設定変更可能なことを特徴としたシステム。
【請求項１０】
請求項９のシステムにおいて縦向き横向きで使用可能なタブレット端末ではキーの高さが縦向き、横向きで独立して設定可能であることを特徴としたシステム。
【請求項１１】
アルファベットによるローマ字漢字変換入力及びアルファベット直接入力が可能なアップル社ｉＯＳ用タブレット端末ソフトウエアキーボードシステムで、アルファベット、方向キー（上下左右への移動キー）、テンキーが同時に表示されており、かつキーの高さが設定変更可能なことを特徴としたシステム。
【請求項１２】
請求項１１のシステムにおいて縦向き横向きで使用可能なタブレット端末ではキーの高さが縦向き、横向きで独立して設定可能であることを特徴としたシステム。
【発明の詳細な説明】
【技術分野】
【０００１】  本発明は、タブレット端末において日本語入力を可能とするソフトウエアキーボードの入力時の効率性の向上を実現するアプリケーション開発に関する。
【背景技術】
【０００２】  従来、タブレット端末用のソフトウエアキーボードはスマートフォン用のソフトウエアキーボードがそのまま使用されて来た。【０００３】  しかし、タブレット端末用のソフトウエアキーボードは方向キーがないため複数行の入力を行う場合は非常に入力し難いものとなっている。【０００４】  また、タブレット端末用のソフトウエアキーボードは４インチ前後の画面での入力を想定したキーレイアウトの為、個々のボタンが小さく同時に二つタッチしたりと首う事象が出ている。【０００５】  画面を回転して使用可能なタブレット端末用のソフトウエアキーボードは縦方向と横方向でボタンの大きさ（キーの高さ）が同じであり、画面を回転して利用する場合には操作性に難がある事がある。【０００６】  タブレット端末用のソフトウエアキーボードはアルファベットキーやひらがなキーとテンキーが別画面となっている。
【発明の概要】
【発明が解決しようとする課題】
【０００７】  以上に述べた従来のソフトウエアキーボードでは上下左右への移動が方向キーで操作できないというものであった。【０００８】  ボタンの大きさ（キーの高さ）調整ができない。【００１０】  画面を回転して使用可能なタブレット端末用のソフトウエアキーボードは縦方向と横方向でボタンの大きさ（キーの高さ）が独立して設定できない。【００１０】  ソフトウエアキーボードはアルファベットキーとテンキーが別画面となっているため数字入力時に画面を切り替えなければならない。
【課題を解決するための手段】
【００１１】  ソフトウエアキーボード内に上下左右の方向キーを表示し、キーのタッチにより上下左右のイベントを発生させソフトウエアキーボードサービスを利用しているアプリケーションにキーに対応したイベントを渡すものである。【００１２】設定画面からボタンの大きさ（キーの高さ）を可変に設定可能とすることにより画面サイズや画面解像度の異なる端末においても最適な大きさでキーを表示することを可能にしたものである。【００１３】  画面を回転して使用可能な端末においては縦方向と横方向のボタンの大きさ（キー高さ）を独立して設定可能とする。【００１４】  アルファベットキーとテンキーを同時に表示し、数字入力時に画面の切替えを不要とする。
【発明の効果】
【００１５】  方向キーを同時に表示することにより入力済みの文字への移動操作を簡単なキータッチで行うことが可能になるという利点がある。【００１６】  ボタンの大きさ（キーの高さ）を可変に設定可能とすることにより画面サイズや画面解像度の異なる端末において使用者の好みのサイズにソフトウエアキーボードの大きさが調整可能となる。【００１７】  アルファベットキーとテンキーが同時に表示されているので、数字入力時に画面の切替えが不要となる。【００１８】  画面を回転して使用可能な端末においては縦方向と横方向のボタンの大きさ（キー高さ）を個別に設定可能となるため縦方向、横方向共に使用しやすいサイズに設定可能となる。
【図面の簡単な説明】
【００１９】
【図１】  この発明の実施形態を示すアプリケーション構成図である。
【図２】  この発明の実施例を示すソフトウエアキーボード画面イメージである。
【図３】  この発明の実施例を示すキー高さ設定画面イメージである。
【図４】  この発明の実施例を示すキー高さ（縦）設定画面イメージである。
【図５】  この発明の実施例を示すキー高さ（横）設定画面イメージである。
【発明を実施するための形態】
【００２０】  以下、本発明の実施の形態を図１〜図５に基づいて説明する。
【００２１】  図１において１はソフトウエアキーボード全体を表しており、１は日本語変換ユーザインターフェース２、キー高さ設定画面３、日本語変換エンジン４から構成されることを表している。
【実施例】
【００２２】  図２のユーザインターフェース画面イメージはソフトウエアキーボードがテンキー・アルファベットキー、方向キー等から構成されることを表している。【００２３】  図３のキー高さ設定画面イメージはソフトウエアキーボードのボタンの大きさ（キー高さ）を高い・中・低いの３段回から選択可能としている例を示している。【００２４】  図４のキー高さ（縦）設定画面イメージは縦方向使用時のソフトウエアキーボードのボタンの大きさ（キー高さ）を高い・中・低いの３段回から選択可能としている例を示している。【００２５】  図５のキー高さ（横）設定画面イメージは横方向使用時のソフトウエアキーボードのボタンの大きさ（キー高さ）を高い・中・低いの３段回から選択可能としている例を示している。
【符号の説明】１  タブレット端末用ソフトウエアキーボード
２  日本語変換ユーザインターフェース
３  キー高さ設定画面
４  日本語変換エンジン
【図１】
2013149226.tif 000003
【図２】
2013149226.tif 000004
【図３】
2013149226.tif 000005
【図４】
2013149226.tif 000006
【図５】
2013149226.tif 000007